(57)【要約】【課題】冷蔵室内の低温室内収納ケースの操作性に関し、ガタツキを減らし、操作性向上及び操作音低減を図る。【解決手段】冷蔵室内に配置された、収納ケース５５には、左右両側に外周にゴム製緩衝材５７を取付けたローラー５８及び、一体成型の凹型ガイドリブ６４を備え、凹型ガイドリブ６４に対応して冷蔵室底面５４と一体成型の凸型レールリブ６５がある。凹型ガイドリブ６４と凸型レールリブ６５が噛み合うことにより収納ケース５５のガタツキが抑えられ操作性が向上し、ゴム製緩衝材５７により、摺動時の操作音低減が図れる。【選択図】　図４
2004116843.tif 000002
【特許請求の範囲】
【請求項１】
貯蔵室内に配置される収納ケースと、前記収納ケースの底面の前後方向に設けた凹形ガイドリブと、前記凹形ガイドリブに対向して前記貯蔵室内の前記収納ケースの直下面に設けた凸型レールリブと、前記収納ケースの両側壁に設けたローラーと、前記収納ケースの両側壁に隣接する貯蔵室内の対向面に前後方向に設けた台座とよりなり、前記凹形ガイドリブを前記凸型レールリブに係合させ、前記ローラーを前記台座レール上で転動させて前記収納ケースを前後方向に出し入れ自在に案内し移動する冷蔵庫。
【請求項２】
冷蔵室内の下部に配置される区画室と、前記区画室内に収容される収納ケースと、前記収納ケースの底面の前後方向に設けた凹形ガイドリブと、前記凹形ガイドリブに対向して前記冷蔵室内の底面に設けた凸型レールリブと、前記収納ケースの両側壁に設けたローラーと、前記収納ケースの両側壁に隣接する前記区画室内の対向面に前後方向に設けた台座レールとよりなり、前記凹形ガイドリブを前記凸型レールリブに係合させ、前記ローラーを前記台座レール上で転動させて前記収納ケースを前後方向に出し入れ自在に案内し移動する冷蔵庫。
【請求項３】
収納ケースを前方に最も引き出した状態の時、収納ケースの凹形ガイドリブと凹形ガイドリブに対向して設けた凸形レールリブとがラップしているように凸形レールリブを貯蔵室前方まで配置した請求項１または２に記載の冷蔵庫。
【請求項４】
収納ケースの凹形ガイドリブ及び、凹形ガイドリブに対向して設けた凸形レールリブを貯蔵室内側壁近傍に設けた請求項１から請求項３のいずれか一項に記載の冷蔵庫。
【請求項５】
凹形ガイドリブに対向して設けた凸形レールリブは台形形状である請求項１から請求項４のいずれか一項に記載の冷蔵庫。
【請求項６】
収納ケースの凹形ガイドリブは、前記収納ケースの奥行き寸法に対して後方より３分の２以下とした請求項１から請求項５のいずれか一項に記載の冷蔵庫。
【請求項７】
収納ケースの凹形ガイドリブは、前記収納ケースの前方方向の先端に傾斜部が設けられている請求項１から請求項６のいずれか一項に記載の冷蔵庫。
【請求項８】
凹形ガイドリブに対向して設けた凸形レールリブを別部品で設けた請求項１から請求項７のいずれか一項に記載の冷蔵庫。
【請求項９】
収納ケースの凹形ガイドリブを別部品で設けた請求項１から請求項８のいずれか一項に記載の冷蔵庫。
【請求項１０】
請求項１から請求項９の冷蔵庫において、収納ケースに設けた凹形ガイドリブに代えて凸形レールリブを設け、凹形ガイドリブに対向して設けた凸形レールリブに代えて凹形ガイドリブを設けた冷蔵庫。
【請求項１１】
収納ケースの両側側面に設けたローラーの外周には、緩衝材を取付けた請求項１から請求項１０のいずれか一項に記載の冷蔵庫。
【請求項１２】
収納ケースの両側側面に設けたローラーの外周には、ゴム製の緩衝材を取付けた請求項１から請求項１０のいずれか一項に記載の冷蔵庫。
【請求項１３】
収納ケースの両側側面にゴム製ローラーを取付けた請求項１から請求項１０のいずれか一項に記載の冷蔵庫。
【請求項１４】
収納ケースに設けたローラーが転動する貯蔵室側壁に設けた台座レールに、収納ケースの緩衝材が当たる様に前後ストッパーを設けた請求項１から請求項１３のいずれか一項に記載の冷蔵庫。
【請求項１５】
貯蔵室内に配置される収納ケースの前面部に収納ケースとは別体の不透明な化粧部品を取付けた冷蔵庫。
【請求項１６】
貯蔵室内に配置される収納ケースの前面部に収納ケースとは別体の不透明な化粧部品を取付けた請求項１から請求項１４のいずれか一項に記載の冷蔵庫。
【請求項１７】
収納ケースの化粧部品は収納ケース前面部へ爪によって取付けられている請求項１５または１６に記載の冷蔵庫。
【請求項１８】
収納ケースと化粧部品で囲まれた空間の下部に位置して、収納ケースの化粧部品には穴が設けてある請求項１５から請求項１７のいずれか一項に記載の冷蔵庫。
【請求項１９】
収納ケースと化粧部品で囲まれた空間の下部に位置して、収納ケースには穴が設けてある請求項１５から請求項１７のいずれか一項に記載の冷蔵庫。
【請求項２０】
収納ケースと化粧部品で囲まれた空間の下部に位置して、収納ケースと化粧部品とは隙間が設けてある請求項１５から請求項１７のいずれか一項に記載の冷蔵庫。
【請求項２１】
化粧部品を取付ける収納ケース前面裏側には、シボ加工が施してある請求項１５から請求項２０のいずれか一項に記載の冷蔵庫。
【請求項２２】
冷蔵室の背面に庫内灯および庫内灯カバーを有し、前記庫内灯カバー外周面に化粧部品を設けた冷蔵庫において、収納ケースの化粧部品と冷蔵室の庫内灯カバーの化粧部品は、色調を同一とした請求項１５から請求項２１のいずれか一項に記載の冷蔵庫。
【発明の詳細な説明】
【０００１】
【発明の属する技術分野】
本発明は、貯蔵室内に前後へ引出し自在の収納ケースを備えた冷蔵庫に関するものである。
【０００２】
【従来の技術】
近年の冷蔵庫においては、商品価値を上げるため冷蔵室内に周囲とは区画された別温度室が設けられている。
【０００３】
また、別温度室は、使い勝手向上のため前後へ引出し自在の収納ケース形態をとっているものが多い。
【０００４】
以下、図面を参照しながら上記従来の冷蔵庫を説明する。
【０００５】
図１６及び、図１７は、従来の冷蔵庫の正面図及びそのＪ−Ｊ断面図である。図において、１は冷蔵庫本体で、２は冷蔵室、３は野菜室、４は製氷室、５は切換室、６は冷凍室であり、それぞれの室は、断熱区画壁７によって断熱状態に区画されている。８は、冷蔵室２内に設けられた低温室であり、上棚９、仕切り板１０、低温室ドア１１、冷蔵室底面１２によって区画されている。１３は、低温室８内に収納される収納ケースである。また、収納ケース１３には、左右両側に側面レール１４があり、冷蔵室側壁１５及び仕切り板８には、台座レール１６及び台座上レール１７が設けられている。側面レール１４及び、台座レール１６は、それぞれ前部ストッパー１８、１９及び後部ストッパー２０，２１を備えている。２２は、収納ケース１３の把手部であり、２３は、冷蔵室２の庫内灯カバーである。
【０００６】
以上のように構成された冷蔵庫について、以下その動作を説明する。
【０００７】
収納ケース１３は、台座レール１６に側面レール１４を載置することにより保持されている。収納ケース１３に収納物を出し入れするには、把手部２２に手を掛け収納ケース１３を前部に引出す。この時、収納ケース１３は、台座レール１６を側面レール１４が摺動することにより、前方へ引出され前部ストッパー１８、１９が接触した地点が最大引出し位置となる。次に、収納ケース１１を低温室８内に収納する時は、把手部２２を手で押す。この時は、収納ケース１３が、台座レール１６上を側面レール１４が摺動することにより、後方へ収納され後部ストッパー２０、２１が接触した地点が最奥収納位置となる（例えば、特許文献１参照。）。
【０００８】
【特許文献１】
特開平４−３６３５７２号公報
【０００９】
【発明が解決しようとする課題】
しかしながら、上記従来の構成では、収納ケース１３の左右方向のガタツキが大きいため、収納ケース１３を低温室８内に収納する際、冷蔵室側壁１５及び仕切り板１０の間で斜めに歪んで入り込み、収納途中で収納ケース１３が止まってしまい、収納動作のスムーズさを欠く欠点があった。
【００１０】
本発明は、従来の課題を解決するもので、収納ケース１３の低温室８内への収納動作をスムーズにできる冷蔵庫を提供することを目的とする。
【００１１】
また、上記従来の構成は、収納ケース１３の側面レール１４、前部ストッパー１８及び、後部ストッパー２０は、樹脂製の部品であり、台座レール１６の摺動時及び、前部ストッパー１９、後部ストッパー２１接触時には不快な音を発生させ品位に欠くという欠点があった。
【００１２】
本発明の他の目的は、収納ケース１３の出し入れ時における音の発生を低減することができる冷蔵庫を提供することを目的とする。
【００１３】
また、上記従来の構成は、収納ケース１３は、単一部品であり意匠的に他商品との差異がつきにくいという欠点があった。
【００１４】
本発明の他の目的は、収納ケース１３を意匠的に優れた物にすることができる冷蔵庫を提供することを目的とする。
【００１５】
【課題を解決するための手段】
本発明の請求項１に記載の発明は、貯蔵室内に配置される収納ケースと、前記収納ケースの底面の前後方向に設けた凹形ガイドリブと、前記凹形ガイドリブに対向して前記貯蔵室内の前記収納ケースの直下面に設けた凸型レールリブと、前記収納ケースの両側壁に設けたローラーと、前記収納ケースの両側壁に隣接する貯蔵室内の対向面に前後方向に設けた台座とよりなり、前記凹形ガイドリブを前記凸型レールリブに係合させ、前記ローラーを前記台座レール上で転動させて前記収納ケースを前後方向に出し入れ自在に案内し移動するものであり、前記凹形ガイドリブと前記凸形レールリブが噛み合うことにより、前記収納ケースの左右方向のガタツキが低減するとともにローラーの回転により、前記収納ケースの出し入れをスムーズに行えるという作用を有する。また、収納ケースに凹形ガイドリブを設けることで収納ケース底面の強度を高めることができる。
【００１６】
請求項２に記載の発明は、冷蔵室内の下部に配置される区画室と、前記区画室内に収容される収納ケースと、前記収納ケースの底面の前後方向に設けた凹形ガイドリブと、前記凹形ガイドリブに対向して前記冷蔵室内の底面に設けた凸型レールリブと、前記収納ケースの両側壁に設けたローラーと、前記収納ケースの両側壁に隣接する前記区画室内の対向面に前後方向に設けた台座レールとよりなり、前記凹形ガイドリブを前記凸型レールリブに係合させ、前記ローラーを前記台座レール上で転動させて前記収納ケースを前後方向に出し入れ自在に案内し移動するものであり、冷蔵室内の下部に配置される区画室内の収納ケースの凹形ガイドリブと凸形レールリブが噛み合うことにより、前記収納ケースの左右方向のガタツキが低減するとともにローラーの回転により、前記収納ケースの出し入れをスムーズに行えるという作用を有する。また、収納ケースに凹形ガイドリブを設けることで収納ケース底面の強度を高めることができる。
【００１７】
請求項３に記載の発明は、請求項１または２に記載の発明において、収納ケースを前方に最も引き出した状態の時、収納ケースの凹形ガイドリブと凹形ガイドリブに対向して設けた凸形レールリブとがラップしているように凸形レールリブを貯蔵室前方まで配置したものであり、収納ケースを最大引出し時においても、凸形レールリブと凹形ガイドリブが噛み合うことにより、前記収納ケースの左右方向のガタツキが低減し、前記収納ケースの出し入れをスムーズに行える。
【００１８】
請求項４に記載の発明は、請求項１から請求項３のいずれか一項に記載の発明において、収納ケースの凹形ガイドリブ及び、凹形ガイドリブに対向して設けた凸形レールリブを貯蔵室内側壁近傍に設けたものであり、貯蔵室内底面の変形による影響を受けにくく、前記凸形レールリブが、前記凹形ガイドリブを突き上げて前記収納ケースの動作を妨げたり、前記凹形リブと噛み合わなくなるのを防止できる。
【００１９】
請求項５に記載の発明は、請求項１から請求項４のいずれか一項に記載の発明において、凸形レールリブは台形形状としたものであり、収納ケースの凹形ガイドリブと噛み合いやすく、また、前記凸形レールリブの強度が向上する作用を有する。
【００２０】
請求項６に記載の発明は、請求項１から請求項５のいずれか一項に記載の発明において、収納ケースの凹形ガイドリブは、前記収納ケースの奥行き寸法に対して後方より３分の２以下としたものであり、前記収納ケースを前方へ引出した時、前記収納ケース及び収納物の重量により、前記収納ケースの前部が下方に傾いた場合でも、前記凹形ガイドリブが貯蔵室内底面に接触せず、前記貯蔵室内底面に傷を付けるのを防止することができる。
【００２１】
請求項７に記載の発明は、請求項１から請求項６のいずれか一項に記載の発明において、収納ケースの凹形ガイドリブは、前記収納ケースの前方方向の先端に傾斜部が設けられたものであり、貯蔵室内底面に補強のためのビードを付けた場合に、前記ビードと前記凹形ガイドリブが接触したとき、前記凹形ガイドリブが前記ビードを乗り越えるのを容易にすることができる。
【００２２】
請求項８に記載の発明は、請求項１から請求項７のいずれか一項に記載の発明において、貯蔵室底面の凸形レールリブを別部品で設けたものであり、前記貯蔵室底面とは、異なる摺動性に優れた材料を用いることにより、収納ケースの摺動性を向上させることができる。
【００２３】
請求項９に記載の発明は、請求項１から請求項８のいずれか一項に記載の発明において、収納ケースの凹形ガイドリブを別部品で設けたものであり、前記収納ケースとは、異なる摺動性に優れた材料を用いることにより、収納ケースの摺動性を向上させることができる。
【００２４】
請求項１０に記載の発明は、請求項１から請求項９の冷蔵庫において、収納ケースに設けた凹形ガイドリブに代えて凸形レールリブを設け、凹形ガイドリブに対向して設けた凸形レールリブに代えて凹形ガイドリブを設けたものであり、前記凸形レールリブと前記凹形ガイドリブが噛み合うことにより、前記収納ケースの左右方向のガタツキが低減し、前記収納ケースの出し入れをスムーズに行えるとともに、収納ケース側を凸形レールリブにすることで外観上の見栄えが向上するという作用を有する。
【００２５】
請求項１１に記載の発明は、請求項１から請求項１０のいずれか一項に記載の発明において、収納ケースの両側側面に設けたローラーの外周には、緩衝材を取付けたものであり、ローラーが台座レール上を摺動するときの音が低減される作用を有する。
【００２６】
請求項１２に記載の発明は、請求項１から請求項１０のいずれか一項に記載の発明において、収納ケースの両側側面に設けたローラーの外周には、ゴム製の緩衝材を取付けたものであり、比較的安価な構造でローラーが台座レール上を摺動するときの音が低減される作用を有する。
【００２７】
請求項１３に記載の発明は、請求項１から請求項１０のいずれか一項に記載の発明において、収納ケースの両側側面に取付けたローラーをゴム製としたものであり、長期に亘りローラーが台座レール上を摺動するときの音が低減される作用を有する。
【００２８】
請求項１４に記載の発明は、請求項１から請求項１３のいずれか一項に記載の発明において、収納ケースに設けたローラーが転動する貯蔵室側壁に設けた台座レールに、収納ケースの緩衝材が当たる様に前後ストッパーを設けたものであり、前記収納ケースの最大引出し時及び、最奥収納時のスットパー当たりの衝撃音が低減される作用を有する。
【００２９】
請求項１５に記載の発明は、貯蔵室内に配置される収納ケースの前面部に収納ケースとは別体の不透明な化粧部品を取付けたものであり、収納ケースを正面から見たときの意匠性が向上する。
【００３０】
請求項１６に記載の発明は、請求項１から請求項１４のいずれか一項に記載の発明において、収納ケースの前面部に前記収納ケースとは別体の不透明な化粧部品を取付けたものであり、収納ケースの出し入れをスムーズに行えるとともに、収納ケースの意匠性が向上する。
【００３１】
請求項１７に記載の発明は、請求項１５または１６に記載の発明において、収納ケースの化粧部品は前記収納ケース前面部へ爪によって取付けられたものであり、取付け作業が容易であり、低コスト化が図れる。
【００３２】
請求項１８に記載の発明は、請求項１５から請求項１７のいずれか一項に記載の発明において、収納ケースと化粧部品で囲まれた空間の下部に位置して、収納ケースの化粧部品には穴が設けてあるので、前記空間内に水分の浸入がある場合、前記空間内に留まらず前記穴から排水される作用を有する。
【００３３】
請求項１９に記載の発明は、請求項１５から請求項１７のいずれか一項に記載の発明において、収納ケースと化粧部品で囲まれた空間の下部に位置して、収納ケースには穴が設けてあるので、前記空間内に水分の浸入がある場合、前記空間内に留まらず前記穴から排水される作用を有する。
【００３４】
請求項２０に記載の発明は、請求項１５から請求項１７のいずれか一項に記載の発明において、収納ケースと化粧部品で囲まれた空間の下部に位置して、収納ケースと化粧部品とは隙間が設けてあるので、前記空間内に水分の浸入がある場合、前記空間内に留まらず前記隙間から排水される作用を有する。
【００３５】
請求項２１に記載の発明は、請求項１５から請求項２０のいずれか一項に記載の発明において、化粧部品を取付ける収納ケース前面裏側には、シボ加工が施してあるものであり、前記シボ加工により、収納ケース内側から見たときに、前記化粧部品の前記収納ケースへの取付け爪を隠すことができ、意匠性が向上する。
【００３６】
請求項２２に記載の発明は、請求項１５から請求項２１のいずれか一項に記載の発明において、冷蔵室の背面に庫内灯および庫内灯カバーを有し、前記庫内灯カバー外周面に化粧部品を設けた冷蔵庫において、収納ケースの化粧部品と冷蔵室の庫内灯カバーの化粧部品は、色調を同一としたものであり、冷蔵室内の統一感が高まり意匠性が向上する。
【００３７】
【発明の実施の形態】
以下、本発明による冷蔵庫の実施の形態について、図面を参照しながら説明する。なお、従来と同一構成については、同一符号を付して詳細な説明を省略する。
【００３８】
（実施の形態１）
図１、２、３、４、５、６は、それぞれ、本発明の実施の形態１による冷蔵庫の冷蔵室扉を開いた状態の正面図、図２のＡ部の詳細図、図２のＢ部詳細図、図２のＣ−Ｃ断面図、図４のＥ部詳細図及び、図２のＤ矢視図である。
【００３９】
図１から図６において、１は冷蔵庫本体で、２は冷蔵室、３は野菜室、４は製氷室、５は切換室、６は冷凍室であり、それぞれの室は、断熱区画壁７によって断熱状態に区画されている。冷蔵室２内の下部には低温室５０が設けられ、上棚５１、仕切り板５２、低温室ドア５３、冷蔵室底面５４によって区画されている。５５は、低温室５０内に収納される収納ケースである。また、収納ケース５５には、左右両側に側面レール５６及び、側面レール５６の後方に外周にゴム製緩衝材５７を取付けたローラー５８が設けてあり、冷蔵室側壁５９及び仕切り板５２には、台座レール６０及び台座上レール６１が設けられている。台座レール６０は、前部ストッパー６２及び後部ストッパー６３を備えている。
【００４０】
また、６４は、収納ケース５５と一体成型の凹型ガイドリブであり、６５は、冷蔵室底面５４と一体成型の凸型レールリブであり台形形状をしている。６６は、冷蔵室底面５４の変形に対する補強ビードである。
【００４１】
また、収納ケース５５を前方に最も引き出した状態の時、冷蔵室底面の凸形レールリブ６５と収納ケース５５の凹形ガイドリブ６４がラップしているように凸形レールリブ６５を冷蔵室２の前方まで配置している。
【００４２】
また、凹形ガイドリブ６４及び、凸形レールリブ６５を冷蔵室側壁５９近傍に設けている。
【００４３】
また、収納ケース５５の凹形ガイドリブ６４は、収納ケース５５の奥行き寸法に対して後方より３分の２以下としている。
【００４４】
また、収納ケース５５の凹形ガイドリブ６４は、収納ケース５５の前方方向の先端に傾斜部が設けられている。
【００４５】
また、ローラー５８が摺動する冷蔵室側壁５９及び、仕切り板５２に設けた台座レール６０上に前部ストッパー６２，後部ストッパー６３を設け、収納ケース５５引出し時、あるいは収納時、ローラー５８のゴム製緩衝材５７が前部ストッパー６２，後部ストッパー６３に当接するように設けている。
【００４６】
さらに、６７は、収納ケース５５の前面部に取付けられた不透明な化粧部品であり、爪６８、穴６９、切欠き７０を備えている。収納ケース５５には、爪７１、切欠き７２を備えている。
【００４７】
また、化粧部品６７を取付ける収納ケース５５の前面裏側には、シボ加工が施してある
また、７３は、収納ケース５５の把手部であり、７４は、冷蔵室２の庫内灯カバー７５の化粧部品であり、化粧部品６７と庫内灯カバー７５の化粧部品７４は色調を同一としている。また、収納ケース５５と化粧部品６７との間には空間７６を有している。
【００４８】
以上のように構成された冷蔵庫について、以下その動作を説明する。
まず、低温室５０内の収納ケース５５に収納物を収納する場合、把手部７３に手を掛け収納ケース５５を手前へ引出し、収納ケース５５に収納物を収納後、把手部７３を押し、収納ケース５５を低温室５０内に収納する。そのとき、凹形ガイドリブ６４と凸形レールリブ６５が噛み合うことにより、収納ケース５５の左右方向のガタツキが低減し、収納ケース５５の出し入れをスムーズに行なうことができる。また、収納ケース５５に凹形ガイドリブ６４を設けることで収納ケース５５底面の強度を高めることができる。
【００４９】
また、収納ケース５５を前方に最も引き出した状態の時、冷蔵室底面の凸形レールリブ６５と収納ケース５５の凹形ガイドリブ６４がラップしているように凸形レールリブ６５を冷蔵室２の前方まで配置しているので、収納ケース５５を最大引出し時においても、凸形レールリブ６５と凹形ガイドリブ６４が噛み合うことにより、収納ケース５５の左右方向のガタツキが低減し、収納ケース５５の出し入れをスムーズに行なうことができる。また、収納ケース５５に凹形ガイドリブ６４を設けることで収納ケース５５の底面の強度を高めることができる。
【００５０】
また、凹形ガイドリブ６４及び、凸形レールリブ６５を冷蔵室側壁５９近傍に設けたので、冷蔵室底面５４の変形による影響を受けにくく凸形レールリブ６５が、凹形ガイドリブ６４を突き上げて収納ケース５５の動作を妨げたり、凹形ガイドリブ６４から離れてしまうことを防止できる。
【００５１】
また、冷蔵室底面５４の凸形レールリブ６５は台形形状であるので、収納ケース５５の凹形ガイドリブ６４と噛み合いやすく、左右方向のクリアランスを小さくでき、引出し時のスムーズな操作が可能となる。また、台形形状とすることで凸形レールリブ６５の強度が向上する。
【００５２】
また、収納ケース５５の凹形ガイドリブ６４は、収納ケース５５の奥行き寸法に対して後方より３分の２以下としたので、収納ケース５５を前方へ引出した時、収納ケース５５及び収納物の重量によって、収納ケース５５の前部が下方に傾いた場合でも、凹形ガイドリブ６４が冷蔵室底面５４に接触せず、冷蔵室底面５４に傷を付けることを防止しすることができる。
【００５３】
また、収納ケース５５の凹形ガイドリブ６４は、収納ケース５５の前方方向の先端に傾斜部が設けられているので、冷蔵庫底面５４に補強のためのビード６６を付けた場合に、ビード６６と凹形ガイドリブ６４が接触したとき、凹形ガイドリブ６４がビード６６を乗り越えるのを容易にしている。
【００５４】
さらに、収納ケース５５の両側側面にローラー５８を設け、ローラー５８は冷蔵室側壁５９及び、仕切り板５２に設けた台座レール６０上を摺動するものであり、ローラー５８が回転することにより、収納ケース５５の出し入れ動作をスムーズにすることができる。
【００５５】
また、ローラー５８の外周には、ゴム製緩衝材５７を取付けたので、ローラー５８が台座レール６０上を摺動するときの音を低減できる。
【００５６】
また、ローラー５８が摺動する冷蔵室側壁５９及び、仕切り板５２に設けた台座レール６０上に前部ストッパー６２，後部ストッパー６３を設け、収納ケース５５引出し時、あるいは収納時、ローラー５８のゴム製緩衝材５７が前部ストッパー６２，後部ストッパー６３に当接するように設けているので、収納ケース５５の最大引出し時及び、最奥収納時のストッパー６２，６３当たり時の衝撃音が低減される。
【００５７】
また、収納ケース５５の前面部に収納ケース５５とは別体の化粧部品６７を取付けたものであり、収納ケース５５を透明部品とすれば、化粧部品６７を例えば、パール調の不透明な別材料を用いればアクセント効果があり、意匠性に優れたものとなる。また、化粧部品６７は不透明であるので、収納ケース５５と化粧部品６７との空間７６に蓄冷材、蓄光材といったものを配する場合は、冷蔵庫の正面から見えず意匠性に優れたものとなる。
【００５８】
また、化粧部品６７は収納ケース５５前面部内側へ爪６８を引掛け、穴６９を収納ケース５５の爪７１と噛み合わせて取付けることにより、取付け作業が容易となり、低コスト化が図れる。
【００５９】
また、収納ケース５５と化粧部品６７で囲まれた空間７６の下部は、収納ケース５５の切欠き７２、化粧部品６７の切欠き７０により隙間が形成されるので、空間７６内に水分の浸入がある場合、空間７６内に留まらず隙間から排水され、不具合が生じない。
【００６０】
また、化粧部品６７を取付ける収納ケース５５の前面裏側には、シボ加工が施してあるものであり、収納ケース５５を透明樹脂で成形した場合、化粧部品６７と収納ケース５５との取付け爪７１が収納ケース５５の内側から見たときに隠すことができ、意匠性に優れたものとなる。
【００６１】
また、収納ケース５５の化粧部品６７と冷蔵室２の庫内灯カバー７５の化粧部品７４は、色調が同じであり、冷蔵室内の統一感が高まり意匠性が向上する。
【００６２】
なお、本実施の形態では凹型ガイドリブ６４および凸型レールリブ６５を収納ケース５５の下部側面近傍の１ヶ所に設けたもので説明したが、収納ケース５５の下部両側面近傍に設けてもよい。下部両側面近傍に設けた場合、収納ケース５５を冷蔵庫本体より取り出してテーブル等に置いても左右の傾斜が生じない。また、収納ケース５５の下部中央近傍に凹型ガイドリブ６４および凸型レールリブ６５を設けてもよい。この場合、収納ケース５５の底面中央部の強度が高まる。
【００６３】
（実施の形態２）
図７、８は、本発明の実施の形態２による冷蔵庫の冷蔵室の低温室部の正面図及び、Ｆ部詳細図である。
【００６４】
図７，８において、９０は、冷蔵室９１内の低温室９２に配置されている収納ケースであり、収納ケース９０には、別体の凹型ガイドリブ９３と一体の把手部９４を備えている。９５は、凹型ガイドリブ９３に対応する冷蔵室底面９６と一体成型の凸型レールリブである。
【００６５】
以上のように構成された冷蔵庫について、以下その動作を説明する。
まず、低温室９２内の収納ケース９０に収納物を収納する場合、把手部９４に手を掛け収納ケース９０を手前へ引出し、収納ケース９０に収納物を収納後、把手部９４を押し、収納ケース９０を低温室９２内に収納する。そのとき、凹形ガイドリブ９３と凸形レールリブ９５が噛み合うことにより、収納ケース９０の左右方向のガタツキが低減し、収納ケース９０の出し入れがスムーズに行える。なお、凹型ガイドリブ９３を収納ケース９０とは、別材料の摺動性に優れたものを用いることで、さらに良好な操作感を得ることができる。
【００６６】
また、凹型ガイドリブ９３を別体とすることで、破損時などのサービス対応が容易になる。
【００６７】
（実施の形態３）
図９、１０は、本発明の実施の形態３による冷蔵庫の冷蔵室の低温室部の正面図及び、Ｇ部詳細図である。
【００６８】
図９、１０において、１００は、冷蔵室１０１内の低温室１０２に配置されている収納ケースであり、収納ケース１００には、一体成型の凹型ガイドリブ１０３と把手部１０４を備えている。１０５は、凹型ガイドリブ１０３に対応する冷蔵室底面１０６と別体成型の凸型レールリブである。
【００６９】
以上のように構成された冷蔵庫について、以下その動作を説明する。
まず、低温室１０２内の収納ケース１００に収納物を収納する場合、把手部１０４に手を掛け収納ケース１００を手前へ引出し、収納ケース１００に収納物を収納後、把手部１０４を押し、収納ケース１００を低温室１０２内に収納する。そのとき、凹形ガイドリブ１０３と凸形レールリブ１０５が噛み合うことにより、収納ケース１００の左右方向のガタツキが低減し、収納ケース１００の出し入れがスムーズに行える。なお、凸型レールリブ１０６を冷蔵室底面１０６とは、別材料の摺動性に優れたものを用いることで、さらに良好な操作感を得ることができる。
【００７０】
（実施の形態４）
図１１、１２は、本発明の実施の形態４による冷蔵庫の冷蔵室の低温室部の正面図及び、Ｈ部詳細図である。
【００７１】
図１１、１２において、１１０は、冷蔵室１１１内の低温室１１２に配置されている収納ケースであり、収納ケース１１０には、一体成型の凸型レールリブ１１３と把手部１１４を備えている。１１５は、凸型レールリブ１１３に対応する冷蔵室底面１１６と一体成型の凹型ガイドリブである。
【００７２】
以上のように構成された冷蔵庫について、以下その動作を説明する。
まず、低温室１１２内の収納ケース１１０に収納物を収納する場合、把手部１１４に手を掛け収納ケース１１０を手前へ引出し、収納ケース１１０に収納物を収納後、把手部１１４を押し、収納ケース１１０を低温室１１２内に収納する。そのとき、凸形レールリブ１１３と凹形ガイドリブ１１５が噛み合うことにより、収納ケース１１０の左右方向のガタツキが低減し、収納ケース１１０の出し入れがスムーズに行える。
【００７３】
また、収納ケース１１０側を凸形レールリブ１１３にすることで外観上の見栄えが向上する
（実施の形態５）
図１３は、本発明の実施の形態５による冷蔵庫の冷蔵室の低温室部の断面図である。
【００７４】
図１３において、収納ケース１２１には、左右両側に側面レール１２２及び、一体成形のゴム製ローラー１２３があり、冷蔵室側壁１２４及び仕切り板１２５には、台座レール１２６及び台座上レール１２７が設けられている。台座レール１２６は、前部ストッパー１２７及び後部ストッパー１２８を備えている。
【００７５】
以上のように構成された冷蔵庫について、以下その動作を説明する。
【００７６】
まず、収納ケース１２１を前後に移動させると、台座レール１２６上をゴム製ローラー１２２が回転することにより、収納ケース１２１の出し入れ動作がスムーズになり、摺動するときの音を低減できる。また、前後ストッパー１２７，１２８をゴム製ローラー１２３が当たる様に設けたので、収納ケース１２１の最大引出し時及び、最奥収納時のストッパー１２７、１２８当たり時の衝撃音が確実に低減される。
【００７７】
また、一体成形のゴム製のローラー１２３を用いることにより、長期信頼性を確保することができる。
【００７８】
（実施の形態６）
図１４は、本発明の実施の形態６による冷蔵庫の冷蔵室の低温室の収納ケースの底面図である。
【００７９】
図１４において、１３１は、収納ケース１３２の前面部に取付けられた化粧部品であり、穴１３３を備えている。また、１３４は、収納ケース１３２と化粧部品１３１で囲まれた空間である。
【００８０】
以上のように構成された冷蔵庫について、以下その動作を説明する。
【００８１】
空間１３４内に水分の浸入がある場合、空間１３４内に留まらず穴１３３から排水されるので、不具合が生じない。
【００８２】
（実施の形態７）
図１５は、本発明の実施の形態６による冷蔵庫の冷蔵室の低温室の収納ケースの底面図である。
【００８３】
図１５において、収納ケース１４２の前面部には化粧部品１４１が取付けてあり、収納ケース１４２には、穴１４３を備えている。また、１４４は、収納ケース１４２と化粧部品１４１で囲まれた空間である。
【００８４】
以上のように構成された冷蔵庫について、以下その動作を説明する。
【００８５】
空間１４４内に水分の浸入がある場合、空間１４４内に留まらず穴１４３から排水されるので、不具合が生じない。
【００８６】
【発明の効果】
以上説明したように請求項１に記載の発明は、貯蔵室内に配置される収納ケースと、前記収納ケースの底面の前後方向に設けた凹形ガイドリブと、前記凹形ガイドリブに対向して前記貯蔵室内の前記収納ケースの直下面に設けた凸型レールリブと、前記収納ケースの両側壁に設けたローラーと、前記収納ケースの両側壁に隣接する貯蔵室内の対向面に前後方向に設けた台座とよりなり、前記凹形ガイドリブを前記凸型レールリブに係合させ、前記ローラーを前記台座レール上で転動させて前記収納ケースを前後方向に出し入れ自在に案内し移動するものであり、凹形ガイドリブと凸形レールリブが噛み合うことにより、収納ケースの左右方向のガタツキが低減するとともにローラーの回転により、収納ケースの出し入れをスムーズに行える。また、収納ケース底面の強度を高めることができる。
【００８７】
請求項２に記載の発明は、冷蔵室内の下部に配置される区画室と、前記区画室内に収容される収納ケースと、前記収納ケースの底面の前後方向に設けた凹形ガイドリブと、前記凹形ガイドリブに対向して前記冷蔵室内の底面に設けた凸型レールリブと、前記収納ケースの両側壁に設けたローラーと、前記収納ケースの両側壁に隣接する前記区画室内の対向面に前後方向に設けた台座レールとよりなり、前記凹形ガイドリブを前記凸型レールリブに係合させ、前記ローラーを前記台座レール上で転動させて前記収納ケースを前後方向に出し入れ自在に案内し移動するものであり、冷蔵室内の下部に配置される区画室内の収納ケースの凹形ガイドリブと凸形レールリブが噛み合うことにより、収納ケースの左右方向のガタツキが低減するとともにローラーの回転により、収納ケースの出し入れをスムーズに行える。また、収納ケース底面の強度を高めることができる。
【００８８】
請求項３に記載の発明は、請求項１または２に記載の発明において、収納ケースを前方に最も引き出した状態の時、収納ケースの凹形ガイドリブと凹形ガイドリブに対向して設けた凸形レールリブとがラップしているように凸形レールリブを貯蔵室前方まで配置したものであり、収納ケースを最大引出し時においても、凸形レールリブと凹形ガイドリブが噛み合うことにより、前記収納ケースの左右方向のガタツキが低減し、前記収納ケースの出し入れをスムーズに行える。
【００８９】
請求項４に記載の発明は、請求項１から請求項３のいずれか一項に記載の発明において、収納ケースの凹形ガイドリブ及び、凹形ガイドリブに対向して設けた凸形レールリブを貯蔵室内側壁近傍に設けたものであり、貯蔵室内底面の変形による影響を受けにくく、前記凸形レールリブが、前記凹形ガイドリブを突き上げて前記収納ケースの動作を妨げたり、前記凹形リブと噛み合わなくなるのを防止できる。
【００９０】
請求項５に記載の発明は、請求項１から請求項４のいずれか一項に記載の発明において、凸形レールリブは台形形状としたものであり、収納ケースの凹形ガイドリブと噛み合いやすく、また、前記凸形レールリブの強度が向上する。
【００９１】
請求項６に記載の発明は、請求項１から請求項５のいずれか一項に記載の発明において、収納ケースの凹形ガイドリブは、前記収納ケースの奥行き寸法に対して後方より３分の２以下としたものであり、前記収納ケースを前方へ引出した時、前記収納ケース及び収納物の重量により、前記収納ケースの前部が下方に傾いた場合でも、前記凹形ガイドリブが貯蔵室内底面に接触せず、前記貯蔵室内底面に傷を付けるのを防止することができる。
【００９２】
請求項７に記載の発明は、請求項１から請求項６のいずれか一項に記載の発明において、収納ケースの凹形ガイドリブは、前記収納ケースの前方方向の先端に傾斜部が設けられたものであり、貯蔵室内底面に補強のためのビードを付けた場合に、前記ビードと前記凹形ガイドリブが接触したとき、前記凹形ガイドリブが前記ビードを乗り越えるのを容易にすることができる。
【００９３】
請求項８に記載の発明は、請求項１から請求項７のいずれか一項に記載の発明において、貯蔵室底面の凸形レールリブを別部品で設けたものであり、前記貯蔵室底面とは、異なる摺動性に優れた材料を用いることにより、収納ケースの摺動性を向上させることができる。
【００９４】
請求項９に記載の発明は、請求項１から請求項８のいずれか一項に記載の発明において、収納ケースの凹形ガイドリブを別部品で設けたものであり、前記収納ケースとは、異なる摺動性に優れた材料を用いることにより、収納ケースの摺動性を向上させることができる。
【００９５】
請求項１０に記載の発明は、請求項１から請求項９の冷蔵庫において、収納ケースに設けた凹形ガイドリブに代えて凸形レールリブを設け、凹形ガイドリブに対向して設けた凸形レールリブに代えて凹形ガイドリブを設けたものであり、前記凸形レールリブと前記凹形ガイドリブが噛み合うことにより、前記収納ケースの左右方向のガタツキが低減し、前記収納ケースの出し入れをスムーズに行えるとともに、収納ケース側を凸形レールリブにすることで外観上の見栄えが向上する。
【００９６】
請求項１１に記載の発明は、請求項１から請求項１０のいずれか一項に記載の発明において、収納ケースの両側側面に設けたローラーの外周には、緩衝材を取付けたものであり、ローラーが台座レール上を摺動するときの音が低減される。
【００９７】
請求項１２に記載の発明は、請求項１から請求項１０のいずれか一項に記載の発明において、収納ケースの両側側面に設けたローラーの外周には、ゴム製の緩衝材を取付けたものであり、比較的安価な構造でローラーが台座レール上を摺動するときの音が低減される。
【００９８】
請求項１３に記載の発明は、請求項１から請求項１０のいずれか一項に記載の発明において、収納ケースの両側側面に取付けたローラーをゴム製としたものであり、長期に亘りローラーが台座レール上を摺動するときの音が低減される。
【００９９】
請求項１４に記載の発明は、請求項１から請求項１３のいずれか一項に記載の発明において、収納ケースに設けたローラーが転動する貯蔵室側壁に設けた台座レールに、収納ケースの緩衝材が当たる様に前後ストッパーを設けたものであり、前記収納ケースの最大引出し時及び、最奥収納時のスットパー当たりの衝撃音が低減される。
【０１００】
請求項１５に記載の発明は、貯蔵室内に配置される収納ケースの前面部に収納ケースとは別体の不透明な化粧部品を取付けたものであり、収納ケースを正面から見たときの意匠性が向上する。
【０１０１】
請求項１６に記載の発明は、請求項１から請求項１４のいずれか一項に記載の発明において、収納ケースの前面部に前記収納ケースとは別体の不透明な化粧部品を取付けたものであり、収納ケースの出し入れをスムーズに行えるとともに、収納ケースの意匠性が向上する。
【０１０２】
請求項１７に記載の発明は、請求項１５または１６に記載の発明において、収納ケースの化粧部品は前記収納ケース前面部へ爪によって取付けられたものであり、取付け作業が容易であり、低コスト化が図れる。
【０１０３】
請求項１８に記載の発明は、請求項１５から請求項１７のいずれか一項に記載の発明において、収納ケースと化粧部品で囲まれた空間の下部に位置して、収納ケースの化粧部品には穴が設けてあるので、前記空間内に水分の浸入があっても、前記空間内に留まらず前記穴から排水され、不具合が生じない。
【０１０４】
請求項１９に記載の発明は、請求項１５から請求項１７のいずれか一項に記載の発明において、収納ケースと化粧部品で囲まれた空間の下部に位置して、収納ケースには穴が設けてあるので、前記空間内に水分の浸入があっても、前記空間内に留まらず前記穴から排水され、不具合が生じない。
【０１０５】
請求項２０に記載の発明は、請求項１５から請求項１７のいずれか一項に記載の発明において、収納ケースと化粧部品で囲まれた空間の下部に位置して、収納ケースと化粧部品とは隙間が設けてあるので、前記空間内に水分の浸入があっても、前記空間内に留まらず前記穴から排水され、不具合が生じない。
【０１０６】
請求項２１に記載の発明は、請求項１５から請求項２０のいずれか一項に記載の発明において、化粧部品を取付ける収納ケース前面裏側には、シボ加工が施してあるものであり、収納ケース内側から見たときに、前記化粧部品の前記収納ケースへの取付け爪を隠すことができ、意匠性が向上する。
【０１０７】
請求項２２に記載の発明は、請求項１５から請求項２１のいずれか一項に記載の発明において、冷蔵室の背面に庫内灯および庫内灯カバーを有し、前記庫内灯カバー外周面に化粧部品を設けた冷蔵庫において、収納ケースの化粧部品と冷蔵室の庫内灯カバーの化粧部品は、色調を同一としたものであり、冷蔵室内の統一感が高まり意匠性が向上する。
【図面の簡単な説明】
【図１】本発明による冷蔵庫の実施の形態１の正面図
【図２】図１のＡ部の拡大正面図
【図３】図２のＢ部の拡大正面図
【図４】図２のＣ−Ｃ線における断面図
【図５】図４のＥ部の拡大図
【図６】図２のＤ部の矢視図
【図７】本発明による冷蔵庫の実施の形態２の要部正面図
【図８】図７のＦ部の拡大正面図
【図９】本発明による冷蔵庫の実施の形態３の要部正面図
【図１０】図９のＧ部の拡大正面図
【図１１】本発明による冷蔵庫の実施の形態４の要部正面図
【図１２】図１１のＨ部の拡大図
【図１３】本発明による冷蔵庫の実施の形態５の要部断面図
【図１４】本発明による冷蔵庫の実施の形態６の要部の底からみた平面図
【図１５】本発明による冷蔵庫の実施の形態７の要部の底からみた平面図
【図１６】従来の冷蔵庫の正面図
【図１７】従来の冷蔵庫のＪ−Ｊ線における断面図
【符号の説明】
１　冷蔵庫本体
２、９１、１０１、１１１　冷蔵室
３　野菜室
６　冷凍室
７　断熱区画壁
５０、９２、１０２、１１２　低温室
５４、９６、１０６、１１６　冷蔵室底面
５５、９０、１００、１１０、１２１、１３２、１４２　収納ケース
５７　ゴム製緩衝材
５８　ローラー
５９、１２４　冷蔵室側壁
６０、１２６　台座レール
６２、１２７　前部ストッパー
６３、１２８　後部ストッパー
６４、９３、１０３、１１５　凹型ガイドリブ
６５、９５、１１３　凸型レールリブ
６７、７４、１３１、１４１　化粧部品
６８、７１　爪
７５　庫内灯カバー
７６、１３４、１４４　空間
１２３　ゴム製ローラー
１３３、１４３　穴
【図１】
2004116843.tif 000003
【図２】
2004116843.tif 000004
【図３】
2004116843.tif 000005
【図４】
2004116843.tif 000006
【図５】
2004116843.tif 000007
【図６】
2004116843.tif 000008
【図７】
2004116843.tif 000009
【図８】
2004116843.tif 000010
【図９】
2004116843.tif 000011
【図１０】
2004116843.tif 000012
【図１１】
2004116843.tif 000013
【図１２】
2004116843.tif 000014
【図１３】
2004116843.tif 000015
【図１４】
2004116843.tif 000016
【図１５】
2004116843.tif 000017
【図１６】
2004116843.tif 000018
【図１７】
2004116843.tif 000019